(57)【要約】【課題】全体がコンパクトで吐水の切替表示機能が確実に発揮される水栓器具を提供する。【解決手段】内部に複数の流路を有し、カバーに窓部を有する水栓本体Ｊ１と、水栓本体Ｊ１に設けられ、複数の流路を切り替え操作する操作体１と、水栓本体Ｊ１に設けられた支持部Ｊ２に姿勢変更可能に支持される軸部２２ａ、および、操作体１からの操作力を受ける作用部２１を有し、操作体１の操作に応じて、複数の流路の切替状態を示す表示面４１を窓部に順次露出する表示体Ｓと、を備え、表示面４１に正対する方向視において、表示面４１の縁部４３のうち、表示面４１の位置変更方向に直行して対向する一対の縁部４３に対し、作用部２１および軸部２２ａが、一対の縁部４３の外側に設けられている。【選択図】図３
2018154981.tif 000002
【特許請求の範囲】
【請求項１】
内部に複数の流路を有し、カバーに窓部を有する水栓本体と、
前記水栓本体に設けられ、前記複数の流路を切り替え操作する操作体と、
前記水栓本体に設けられた支持部に姿勢変更可能に支持される被支持部、および、前記操作体からの操作力を受ける作用部を有し、前記操作体の操作に応じて、前記複数の流路の切替状態を示す表示面を前記窓部に順次露出する表示体と、を備え、
前記表示面に正対する方向視において、前記表示面の縁部のうち、前記表示面の位置変更方向に直行して対向する一対の前記縁部に対し、前記作用部および前記被支持部が、一対の前記縁部の外側に設けられている水栓器具。
【請求項２】
前記作用部が、前記操作体に押圧されるカム部であり、前記被支持部が、前記表示体の回動中心となる軸部であって、
前記カム部が前記表示体から延出し、前記軸部が前記カム部からさらに延出している請求項１に記載の水栓器具。
【請求項３】
前記軸部と前記カム部との間に、前記軸部に交差する仕切部を備えている請求項２に記載の水栓器具。
【請求項４】
前記表示面が、前記位置変更方向に沿う第１曲率半径と、前記位置変更方向に直行する方向に沿う第２曲率半径とを有し、前記第１曲率半径が前記第２曲率半径よりも短く構成されている請求項１から３の何れか一項に記載の水栓器具。
【請求項５】
前記窓部が四つの開口縁部を備えており、当該開口縁部のうち前記表示面の前記位置変更方向に交差しつつ延出する一対の前記開口縁部を交差開口縁部としたとき、前記交差開口縁部のうち上下方向で下側に位置する交差開口縁部の中央側ほど前記位置変更方向に沿って外側に広げられている請求項１から４の何れか一項に記載の水栓器具。
【請求項６】
前記表示面を構成する前記縁部のうち前記位置変更方向と直行する方向に対向する一対の前記縁部につき、前記作用部および前記被支持部のうち少なくとも何れか一方が形成されている前記縁部に、水が前記作用部あるいは前記被支持部に至るのを防止する止水部が設けられている請求項１から５の何れか一項に記載の水栓器具。
【請求項７】
前記止水部の構成として、前記表示面を構成する前記縁部のうち前記位置変更方向と直行する方向に対向する一対の前記縁部と当該縁部が対向する前記カバーの内面との距離が、前記表示面において前記縁部と異なる部位と当該部位が対向する前記内面との距離よりも短く設定されている請求項６に記載の水栓器具。
【請求項８】
前記止水部が、前記作用部および前記被支持部のうち少なくとも何れか一方が形成されている前記縁部に沿い、かつ、前記カバーの内面に向けて突出するリブを備えている請求項６または７に記載の水栓器具。
【請求項９】
前記止水部が、前記作用部および前記被支持部のうち少なくとも何れか一方が形成されている前記縁部に沿い、かつ、前記表示面から引退した溝部を備えている請求項６から８の何れか一項に記載の水栓器具。
【発明の詳細な説明】
【技術分野】
【０００１】
本発明は、吐出する流水の種類を例えば原水と浄水など複数に切り替えることができる水栓器具に関する。
【背景技術】
【０００２】
このような水栓器具としては、例えば特開２００４−０８２０３１号公報（特許文献1）に示す技術がある。
【０００３】
この水栓器具は、吐出する流水の種類を浄水と原水とに切り替えることができ、切り替えた吐水の種類をカバーに設けた窓部に表示する機構を有する。水栓器具のカバーのうち先端近傍の位置に窓部が形成され、約４分の１の円柱体で構成された表示体の曲面上に表示された浄水および原水の表示がこの窓部から交互に表示される。
【０００４】
表示体は、扇形の側面から双方向に軸部が形成され、この軸部が水栓本体に形成された支持部に回転可能に支持されている。軸部の片方には捩じりばねが装着され、水栓本体に反力を取りつつ、表示体が水栓器具の先端側に転ぶように表示体を付勢している。
【０００５】
この表示体は、吐水の切り替えを行う押しボタンによって駆動される。押しボタンは、水栓本体に対してプッシュ・プッシュ式に作動するように備えられている。水栓本体には吐水を切り替える弁機構が備えられており、この弁機構に、公知のプッシュ・プッシュ式の切替機構が併設されている。押しボタンは、このリターン機構の押し部材と連携しており、押しボタンが押込位置から突出位置に復帰する際には、このリターン機構のばね付勢力が利用される。
【０００６】
押しボタンの天井部には傾斜状のカム部が設けられており、一方の表示体の下部には当該カム部が当接する作用部が設けられている。押しボタンが突出位置にあるときには、この傾斜部が表示体の作用部を押し上げ、窓部には「原水」が表示される。押しボタンが押し込まれると、カム部が押圧方向奥部に移動し、作用部の押し上げが解除される。これにより、表示体は捩じりばねの付勢力によってそれまでカム部の存在していた側に転ぶように回転し、表示が「浄水」に切り替わる。
【０００７】
押しボタンが突出位置に戻す際には、押しボタンを僅かに押し込む。その結果、プッシュ・プッシュ機構が働き、ばねの付勢力によって押しボタンが押し戻される。その結果、押しボタンのカム部が再度表示体の作用部を押し上げて表示が「原水」に戻される。
【０００８】
このように、従来の水栓器具では、表示体が何れの側に切り替わる際にも、捩じりばねあるいは切替機構のばねの付勢力が利用されていた。
【０００９】
また、当該従来技術では、表示体を回転させるためのカム部と作用部が、押しボタンと表示体との間に設けられている。
【００１０】
特許文献１の記載によれば、これらの構成の結果、表示部を往復動する押しボタンと離れた位置に設けることができる。しかも構成が簡単で、必要となる部品も、表示体、ばね部材、表示体支持部材、表示窓等だけで済み、小型化で安価な表示装置が得られるとされている。
【先行技術文献】
【特許文献】
【００１１】
【特許文献１】特開２００４−０８２０３１号公報
【発明の概要】
【発明が解決しようとする課題】
【００１２】
このように、上記従来の技術では、表示体を回転させるためのカム部と作用部が、押しボタンと表示体との間に設けられている。また、表示体を回転させる軸部が表示体の側面近傍の直下に設けられている。そのため、窓部から内部に浸入した水がこれらカム部や軸部に容易に到達し、使用に伴ってこれらの部位に水垢等の汚れとなって蓄積する。
【００１３】
その結果、表示体の回転動作が円滑でなくなったり、あるいは、表示体の停止位置に誤差が生じて、表示体に設けた「原水」等の表示が窓部の適正な位置に表示されなくなる等の不都合が生じていた。
【００１４】
また、上記従来技術の水栓器具では表示体の裏面側に回転機構があるため、表示体の視認性を向上させようとしても、水栓器具のヘッド部には所定のサイズの制限があり、表示体の拡大化には限界がある。
【００１５】
よって、表示体の動作の信頼性の問題、および、表示体のサイズの問題などから、表示体の視認機能を高めようとしても表示体の構造等には未だ改善の余地がある。
【００１６】
このような実情に鑑み、従来から、全体がコンパクトでありながら、吐水の切替表示機能が確実に発揮される水栓器具の提供が望まれている。
【課題を解決するための手段】
【００１７】
（特徴構成）
本発明に係る水栓器具の特徴構成は、
内部に複数の流路を有し、カバーに窓部を有する水栓本体と、
前記水栓本体に設けられ、前記複数の流路を切り替え操作する操作体と、
前記水栓本体に設けられた支持部に姿勢変更可能に支持される被支持部、および、前記操作体からの操作力を受ける作用部を有し、前記操作体の操作に応じて、前記複数の流路の切替状態を示す表示面を前記窓部に順次露出する表示体と、を備え、
前記表示面に正対する方向視において、前記表示面の縁部のうち、前記表示面の位置変更方向に直行して対向する一対の前記縁部に対し、前記作用部および前記被支持部が、前記一対の縁部の外側に設けられている点にある。
【００１８】
（効果）
水栓器具の使用時に窓部から水が浸入すると、水は表示面に対して下方に流れる。水栓器具は通常の設置姿勢が固定されているため、水が流下経路もある程度固定される。ただし、表示体は窓部に対して相対移動するから、窓部に浸入した水は当該表示体の位置変更方向に沿って流れ易くなる。
【００１９】
そこで本構成のように、作用部と被支持部とを表示面に対して表示面の位置変更方向に直行する外側に設けることで、水がこれらの部位に至る機会を減らすことができる。その結果、作用部や被支持部に水垢などが付かず清浄な状態が維持され、窓部に対する表示面の表示位置が適正に維持される。
【００２０】
（特徴構成）
本発明に係る水栓器具としては、前記作用部が、前記操作体に押圧されるカム部であり、前記被支持部が、前記表示体の回動中心となる軸部であって、前記カム部が前記表示体から延出し、前記軸部が前記カム部からさらに延出する構成とすることができる。
【００２１】
（効果）
表示面が窓部に対して適切な位置に固定されるためには、カム部や軸部など、表示体の動作に影響する部位に水垢などが溜まるのを防止する必要がある。特に、軸部に汚れが堆積すると、軸部と支持部との間に抵抗が生じ、予定しない位置で表示体が停止する場合がある。この結果、吐水状態の表示機能が損なわれることとなる。よって、本構成では、特に汚れを防止する必要性の高い軸部を水が浸入し易い表示面から最も遠い位置に設定している。
【００２２】
（特徴構成）
本発明に係る水栓器具にあっては、前記軸部と前記カム部との間に、前記軸部に交差する仕切部が設けられていても良い。
【００２３】
（効果）
本構成のごとく、仕切部を設けることで、表示面から仮にカム部に水が流下した場合でも、この水が軸部に至るのを確実に防ぐことができる。
さらに、このような仕切部を介してカム部と軸部とを設けることで、仕切部が両者を連結構成するうえでの繋ぎ部材となり、表示体の構造を決定する際の自由度が高まる。よって、水栓本体の形状等に応じて表示体を構成し易くなる。
【００２４】
（特徴構成）
本発明に係る水栓器具にあっては、前記表示面が、前記位置変更方向に沿う第１曲率半径と、前記位置変更方向に直行する方向に沿う第２曲率半径とを有し、前記第１曲率半径が前記第２曲率半径よりも短く構成されていると好都合である。
【００２５】
（効果）
本構成であれば、表示面の全体を曲面にすることができる。水栓本体の外観形状は例えば球形に構成したり、各種の曲面を組み合わせて任意の形状に構成することができる。その場合、表示面の形状を互いに直行する二方向において曲面とすることで、表示面を水栓本体の外面形状に沿わせ易くなる。よって、水栓本体のカバーに設けた窓部に表示部を露出させる際に、表示部の全体が水栓本体の表面に近付いて視認性が高まる。
【００２６】
また、二方向の曲率半径を異なるものとし、特に、表示面の位置変更方向の第１曲率半径を短くすることで、仮に、表示面から水が浸入した場合でも、水は表示面の位置変更方向に沿った側の縁部に流れる。こちらの縁部には作用部および被支持部は存在しないから、被支持部等に汚れが堆積することが防止され、表示体の良好な切替動作を長期に亘って維持することができる。
【００２７】
（特徴構成）
本発明に係る水栓器具にあっては、前記窓部が四つの開口縁部を備えており、当該開口縁部のうち前記表示面の前記位置変更方向に交差しつつ延出する一対の前記開口縁部を交差開口縁部としたとき、前記交差開口縁部のうち上下方向で下側に位置する交差開口縁部の中央側ほど前記位置変更方向に沿って外側に広がるように構成することができる。
【００２８】
（効果）
本構成のごとく、窓部の開口縁部であって特に位置変更方向に交差する一対の交差開口縁部のうち下側の交差開口縁部につき、位置変更方向に交差するものの中央を外側に膨らませておくことで、例えば、表示部から水栓本体の内部に水が浸入する場合に、浸入位置を交差開口縁部の中央部に誘導することができる。つまり、窓部は水栓本体の表面に形成されているが、ユーザーが視認し易いようにやや上向きに設けられることが多い。その場合、当該交差開口縁部の中央位置が鉛直方向において最下部となる。この位置から水が水栓本体の内部に浸入したとしても、その位置は、作用部や被支持部から離れた位置である。よって、浸入した水が作用部や被支持部に付着することが防止され、表示体の円滑な動きが長期に亘って維持される。
【００２９】
（特徴構成）
本発明に係る水栓器具は、前記表示面を構成する縁部のうち前記位置変更方向と直行する方向に対向する一対の縁部につき、前記作用部および前記被支持部のうち少なくとも何れか一方が形成されている縁部に、水が前記作用部あるいは前記被支持部に至るのを防止する止水部が設けられていると好都合である。
【００３０】
（効果）
本構成の如く止水部を設けることで、水が表示部を介して作用部や被支持部に流れるのを確実に阻止することができる。よって、表示体の円滑な動きがさらに良好に維持される。
【００３１】
（特徴構成）
本発明に係る水栓器具にあっては、前記止水部の構成として、前記表示面を構成する縁部のうち前記位置変更方向と直行する方向に対向する一対の縁部と当該縁部が対向する前記カバーの内面との距離が、前記表示面において前記縁部と異なる部位と当該部位が対向する前記内面との距離よりも短く設定されていると好都合である。
【００３２】
（効果）
本構成では、表示面の各部とカバーの内面との距離に着目し、特に、表示面の縁部のうち作用部や被支持部が設けられた近傍の縁部について、カバーの内面との距離を短くする。これにより、仮に水が窓部から浸入しようとしても、間隔の狭い当該縁部では表面張力等の効果によって水の移動が阻止される。よって、作用部や被支持部を清浄に維持することができる。
【００３３】
（特徴構成）
本発明に係る水栓器具にあっては、前記止水部が、前記作用部および前記被支持部のうち少なくとも何れか一方が形成されている縁部に沿い、かつ、前記カバーの内面に向けて突出するリブを備えるものであってもよい。
【００３４】
（効果）
このようにリブを形成する結果、表示体とカバーの内面との間隔を狭くすることができ、水の保持効果を高めることができる。
特にリブは表示面から突出するため水の流動を阻止する効果が顕著に発揮される。
【００３５】
（特徴構成）
本発明に係る水栓器具にあっては、前記止水部が、前記作用部および前記被支持部のうち少なくとも何れか一方が形成されている縁部に沿い、かつ、前記表示面から引退した溝部を備えたものであってもよい。
【００３６】
（効果）
このような溝部を設けることでも、窓部から浸入しようとする水が当該溝部に保持され、被支持部等への拡散を防止することができる。
【図面の簡単な説明】
【００３７】
【図１】水栓器具の外観を示す斜視図
【図２】水栓器具の吐水切替表示機構を示す斜視図
【図３】吐水切替表示機構を示す分解斜視図
【図４】表示体の動作態様を示す説明図
【図５】吐水切替表示機構の第１実施形態に係る止水部を示す説明図
【図６】表示面と第１カバーとの距離を示す説明図
【図７】第２実施形態に係る表示体を示す説明図
【図８】第３実施形態に係る表示体を示す斜視図
【図９】第４実施形態に係る表示体を示す斜視図
【図１０】第５実施形態に係る表示体を示す斜視図
【図１１】第６実施形態に係る表示体の構造を示す分解斜視図
【発明を実施するための形態】
【００３８】
〔第１実施形態〕
本発明の水栓器具では、流体の流路を有する水栓本体Ｊ１の先端に設けた吐水の切替表示機構に特徴がある。切替表示機構は、原水や浄水を切り替えて吐出する際に、水栓器具のカバーＣに設けた窓部Ｗに夫々の表示を択一的に露出させるものである。以下、本発明に係る水栓器具の実施形態につき図面を参照しながら説明する。
【００３９】
（全体概要）
本実施形態に係る水栓器具の外観を図１に示す。水栓本体Ｊ１の先端部にはカバーＣが設けられ、殆どの部位が覆われて、全体外観がシンプルに仕上がっている。これにより、カバーＣの繋ぎ目などに汚れが溜まるのを防止している。具体的には、上方部を第１カバーＣ１が覆い、下方部を第２カバーＣ２が覆っている。第１カバーＣ１と第２カバーＣ２との繋ぎ目は先端部においては略頂上付近にあり、水が掛かるのを極力防止している。
【００４０】
第１カバーＣ１と第２カバーＣ２との繋ぎ目には、吐水を例えば浄水と原水とに切り替える操作体１が設けてある。この操作体１は、所謂、プッシュ・プッシュ方式の押ボタンであり、図２および図３に示す如く、水栓本体Ｊ１に設けられた公知の切替機構Ｋに連結されている。
【００４１】
第１カバーＣ１の上面には、操作体１によって切り替えられた吐水の種類を示す窓部Ｗが形成されている。窓部Ｗからは、「原水」や「浄水」等の吐水状態を示す表示面４１が露出している。
【００４２】
一方、第２カバーＣ２の下方には円形の開口が設けられており、吐水形状をシャワー形状やストレート形状に切り替えるスクリーン部材７が嵌め込まれている。スクリーン部材７には回転操作用のレバー６が設けられ、第２カバーＣ２の側面には、レバー６の位置を示す目盛り６１が設けられている。
【００４３】
（表示体）
図３は、吐水種類を切り替え表示する表示体Ｓの構造を示す分解斜視図である。表示体Ｓは、操作体１の出退操作に応じて所定の角度に亘って回転し姿勢を変更する。本実施形態に係る表示体Ｓは、水栓本体Ｊ１に支持される表示本体２と、当該表示本体２に取り付けられる表示板４とで構成される。
【００４４】
表示本体２は、被支持部２２として一対備えた軸部２２ａによって水栓本体Ｊ１の支持部Ｊ２に回転可能に支持される。また、表示本体２は、操作体１からの操作力を受ける作用部２１が設けられている。本実施形態においては、当該作用部２１は操作体１の腕部１２によって押圧されるカム部２１ａとして構成されている。
【００４５】
図３に示すように、軸部２２ａは作用部２１に対して外方に設けられている。これは、表示体Ｓの回転動作を円滑に維持するためである。軸部２２ａと支持部Ｊ２との摺動状態の良否は、軸部２２ａにおける水垢などの汚れ具合に影響される。軸部２２ａに汚れが堆積すると、軸部２２ａと支持部Ｊ２との間に抵抗が生じ、予定しない位置で表示体Ｓが停止する場合がある。この結果、吐水状態の表示機能が損なわれることとなる。軸部２２ａに至る水の殆どは上方の窓部Ｗから浸入するから、作用部２１を間に配置することで軸部２２ａの位置を窓部Ｗの鉛直下方の位置から遠ざけている。
【００４６】
さらに、作用部２１と軸部２２ａとの間には軸部２２ａに交差する板状の仕切部２３を設けてある。仕切部２３は、作用部２１との接続部位に対して張り出したフランジ状に構成してあり、特に、作用部２１が何れの姿勢に変化した場合でも、作用部２１との接続部位に対して鉛直方向上方に張り出す形状に構成してある。これにより、作用部２１を伝って水が軸部２２ａに至るのをより確実に防止している。尚、仕切部２３は、表示本体２の全体形状に対して軸部２２ａを偏位させる機能も有する。後述する表示面４１と軸部２２ａとの距離を設定することで、表示面４１の回転軌跡、および、表示面４１の曲率半径等が決定される。
【００４７】
仕切部２３の一方には、図３および図４に示すように捩じりばね３が取り付けられる。この捩じりばね３は、表示本体２が水栓本体Ｊ１の先端側に転ぶように表示本体２を付勢するものである。捩じりばね３は、例えばトグルバネであり、巻き部が軸部２２ａに挿通される。一方の端部は、仕切部２３に設けたばね受部２４に係止され、他方の端部は、水栓本体Ｊ１の反力受部Ｊ４に係止される。
【００４８】
また、少なくとも当該ばね受部２４が形成された側の仕切部２３には、表示本体２の先端側への転び量を規制するストッパ２５が設けられている。当該ストッパ２５は、水栓本体Ｊ１の側に設けられた支持部Ｊ２の一部に当接する。この状態では、後述する表示面４１に記された例えば「原水」が窓部Ｗから表示される。
【００４９】
表示本体２の作用部２１に対しては、操作体１の腕部１２が当接し、表示体Ｓの回転動作が行われる。操作体１は、第１カバーＣ１と第２カバーＣ２との境界位置に突出し、水栓本体Ｊ１に設けられた切替機構Ｋに接続されている。操作体１は、自身に形成した穴部１３を切替機構Ｋの突起Ｋ２に係合させて切替機構Ｋに連結される。ただし、操作体１が切替機構Ｋと力の伝達を行うのは、操作体１の裏面のみである。操作体１を押し込むことで操作体１の裏面が切替機構Ｋの操作軸Ｋ１の端面を押し込み、操作体１が突出位置から押込位置に移行する。逆に、操作体１を突出位置に戻す際には、操作体１を一旦押し込み、プッシュ・プッシュ機構のリターンばねを効かせて操作軸Ｋ１を突出させ、さらに操作体１の裏面を押し出す。
【００５０】
表示本体２の材質は例えばポリアセタール樹脂（ＰＯＭ材）等で構成する。表示本体２のカム部２１ａは操作体１と摺動し、また、軸部２２ａは水栓本体Ｊ１の支持部Ｊ２において摺接するから、摩耗に強い材料を用いるのが好ましい。
【００５１】
（操作体）
操作体１には、表示本体２のカム部２１ａを押圧する腕部１２が設けられている。図３では、カム部２１ａは一対設けられているのに対して腕部１２は一つである例を示している。これは、操作体１の構造を簡略化するためであるが、操作体１には腕部１２を二つ設けても良い。その場合には、表示本体２に対する押し込み操作が確実なものとなる。
【００５２】
（表示板）
図３に示すように、表示本体２には、円筒状の表示面４１と扇形状の側面を有する表示板４が重ねて配置される。表示本体２の両側面には爪部２６が突出形成されており、表示板４の側面に設けられた係止穴４２がこれに係合する。表示板４は例えば透明のポリカーボネート材等の樹脂部材等で構成される。表示面４１の裏側に、「原水」「浄水」などの切り替え表示が印刷などされる。このように裏面に表示を設けることで、表示板４が第１カバーＣ１の裏面に擦れて剥がれるのを防止することができる。
【００５３】
本構成のように、表示本体２と表示板４とを組み付けることで、表示板４の側面の裏面と表示本体２の側面との間に僅かな隙間が生じる。窓部Ｗから水が浸入すると、この水は表示板４の縁部４３等を介して側面に至り、係止穴４２等を介して当該隙間に浸入する。つまり、表示本体２と表示板４との間に隙間を設けることで、浸入した水を保持する効果が期待できる。よって、本構成であれば、浸入水が作用部２１や軸部２２ａに至るのをより確実に防止することができる。
【００５４】
尚、本実施形態とは異なり、表示本体２と表示板４とを一体に形成しても良い。一体成形することで部品点数が減り、幾分かのコスト削減が可能となる。また、表面に表示を設ける構成であれば、表示面４１が曇るなどの不都合は生じ得ず、表示板４の視認性向上が期待できる。ただし、その場合には、「原水」の表示等を表示板４の表面に設ける必要があるから、表示面４１が第１カバーＣ１の裏面に擦れるのを防止するような寸法設定などが必要となる。
【００５５】
本実施形態の表示本体２においては、表示面４１に正対する方向視において、表示面４１の縁部４３のうち、表示面４１の位置変更方向Ｙに直行して対向する一対の縁部４３に対し、作用部２１および軸部２２ａが、これら一対の縁部４３の外側に設けられている。
【００５６】
これは、作用部２１および軸部２２ａにおける汚れの蓄積を抑制するための構造である。水栓器具の使用時に窓部Ｗから水が浸入すると、水は表示面４１に対して下方に流れる。水栓器具は通常の設置姿勢が固定されているため、水が流下する経路もある程度固定される。ただし、表示体Ｓは窓部Ｗに対して相対移動するから、窓部Ｗに浸入した水は当該表示体Ｓの位置変更方向Ｙに沿って流れ易くなる。因みに、表示体Ｓの位置変更方向Ｙとは、図１に示したように、軸部２２ａを中心に表示本体２が回転する方向をいう。
【００５７】
そこで本構成のように、作用部２１と軸部２２ａとを表示面４１に対して表示面４１の位置変更方向Ｙに直行する外側に設けることで、水がこれらの部位に至る機会を減らすことができる。その結果、作用部２１や軸部２２ａに水垢などが付かず清浄な状態が維持され、窓部Ｗに対する表示面４１の表示位置が適正に維持される。
【００５８】
（表示体の動作態様）
操作体１の押し込み操作に際しての表示本体２の動作態様を図４に示す。操作体１が突出位置にあるとき（図４上図）操作体１の腕部１２はカム部２１ａ（作用部２１）の一部に当接するか僅かに離間している。この状態では、表示本体２の仕切部２３に設けたストッパ２５が水栓本体Ｊ１の支持部Ｊ２の近傍に当接しており、表示本体２は前方の限度位置にある。このあと、腕部１２の押し込みに応じて表示本体２は軸部２２ａを中心に回転する。このとき軸部２２ａには捩じりばね３が巻き回してあり、捩じりばね３の夫々の端部は、仕切部２３に設けたばね受部２４と水栓本体Ｊ１の反力受部Ｊ４とに当接しており、この捩じりばね３は表示本体２を図４において反時計方向に回転させるように付勢力を発揮している。よって、操作体１の操作に必要な力は、切替機構Ｋに設けたばねに対する力と、表示本体２の捩じりばね３に対する力との合力に等しくなる。
【００５９】
図４上図の状態から操作体１および腕部１２を押し込むと表示本体２が回転し、腕部１２の押込方向に対してカム部２１ａの表面角度が変化する。図４下図は、操作体１の押し込みが完了した状態を示すが、カム部２１ａの角度が腕の押し込方向に対して大きく傾斜していることがわかる。この状態では、捩じりばね３は最大の付勢力を発生している。よって、カム部２１ａの傾斜角度と相まって、図４下図における腕部１２は、上向きに逃げるように曲がる傾向がある。そこで、図４に示す如く、腕部１２が一方側に逃げるのを規制する規制部Ｊ３を水栓本体Ｊ１に設けてある。
【００６０】
この規制部Ｊ３を設けることで、腕部１２の形状を細くあるいは薄くすることができる。よって、広さに制限がある第１カバーＣ１の内部空間を有効に利用した切替機構Ｋを設けることができる。
【００６１】
図４下図は腕部１２の押し込が完了した状態であるが、このとき表示本体２のカム部２１ａは、捩じりばね３の付勢力によって腕部１２の先端に当接している。このときの表示面４１に記された「浄水」の表示が窓部Ｗから露出する。つまり、操作体１を押し込んだ状態での表示本体２の姿勢は、切替機構Ｋの押し込み側の位置に応じて操作体１および腕部１２の位置が決まり、これに当てつけられるカム部２１ａの姿勢で決定される。よって、窓部Ｗに「浄水」の表示を正確に露出させるためには、腕部１２やカム部２１ａの寸法あるいは取付位置が極めて正確に決定される必要がある。
【００６２】
（止水部）
本実施形態の吐水の種類の表示切替機構には、表示本体２の作用部２１や軸部２２ａに水が浸入しないような止水部５を設けてある。例えば、図５に示すように、表示面４１を構成する縁部４３のうち位置変更方向Ｙと直行する方向、即ち、軸部２２ａの延出方向に沿って対向する一対の縁部４３につき、作用部２１および軸部２２ａの少なくとも何れか一方が形成されている縁部４３に止水部５が設けられている。
【００６３】
具体的には、当該一対の縁部４３とこれら縁部４３が対向する第１カバーＣ１の内面との距離が、表示面４１のうち縁部４３と異なる部位と当該部位が対向する第１カバーＣ１の内面との距離よりも短く設定されている。そのために図５に示すように、窓部Ｗの内周に沿って第１カバーＣ１の裏面に内側凸部５１を設けてある。
【００６４】
つまり、表示面４１の各部と第１カバーＣ１の内面との距離に着目し、特に、表示面４１の縁部４３のうち作用部２１や軸部２２ａが設けられた近傍の縁部４３について、第１カバーＣ１の内面との距離を短くする。これにより、仮に水が窓部Ｗから浸入しようとしても、間隔の狭い当該縁部４３では表面張力等の効果によって水の移動が阻止される。よって、作用部２１や軸部２２ａを清浄に維持することができ、表示体Ｓの円滑な動きが良好に維持される。
【００６５】
窓部Ｗから軸部２２ａ等への水の浸入を防止するには、第１カバーＣ１の内面と表示面４１との距離を例えば以下のように設定すると良い。
【００６６】
図６に示すように、表示面４１のうち縁部４３ではない部位と第１カバーＣ１の内面との距離をＨ１（ｍｍ）とし、表示面４１のうち作用部２１等が設けられている側の縁部４３と第１カバーＣ１の内面との距離をＨ２（ｍｍ）とすると、（Ｈ１−Ｈ２）の値は０.０５〜２がよい。これよりも小さい場合には、隙間寸法を異ならせることによる当該縁部４３での止水機能が発揮され難くなる。また、当該縁部４３以外の部位での隙間寸法を小さくすることで、表示本体２の繰り返し動作による部材変形や、表示板４と第１カバーＣ１との相対位置の変化等により、表示面４１が第１カバーＣ１の内面と干渉し易くなる。このような不都合を防止するには、（Ｈ１−Ｈ２）の値は、０.１以上、特に０.２以上とするのがよい。
【００６７】
一方、（Ｈ１−Ｈ２）の値が２よりも大きくなると、表示面４１が窓部Ｗから奥まった位置となって表示面４１の視認性が低下する。ただし、２よりも小さい場合でも視認性をより高めるには１．０以下、特に０．５以下とするのがよい。結果的には、（Ｈ１−Ｈ２）の値は０．３とするのが好ましい。
【００６８】
Ｈ１の値としては、０．２〜１．８がよい。それ未満であれば、繰り返し使用による表示本体２の変形や、表示面４１と第１カバーＣ１の内面との相対位置が変化した場合等において、表示面４１が傷付き易くなる。よって、さらに０．３以上、特に０．５以上とするのがよい。また、Ｈ１の値が過大となれば、表示面４１が窓部Ｗより奥まった位置となって表示の視認性が低下する。よって、Ｈ１の値は１．５以下、特に１．０以下とするのがよい。結果的には０．８程度とするのが好ましい。
【００６９】
Ｈ２の値としては、０．１〜１．５がよい。それ未満の場合、表示本体２の経時変形等によって当該縁部４３と第１カバーＣ１の内面とが干渉し易くなり、表示本体２の動作が損なわれることがある。よって、さらに０．２以上、特に０．３以上とするのがよい。一方、Ｈ２の値が大きくなると、隙間を狭くすることによる止水機能が発揮され難くなる。よって、さらに１．０以下、特に０．６以下とするのがよい。結果的には０．５程度とするのが好ましい。
【００７０】
本実施形態では、窓部Ｗから第１カバーＣ１の内部に浸入する水が、作用部２１や軸部２２ａに到達するのを防止するために、表示面４１の形状にも以下の特徴を持たせている。つまり、表示面４１には、表示面４１の位置変更方向Ｙに沿った曲率に係る第１曲率半径Ｒ１と、位置変更方向Ｙに直行する方向に沿った曲率に係る第２曲率半径Ｒ２とを持たせ、さらに、第１曲率半径Ｒ１が第２曲率半径Ｒ２よりも短くなるように構成してある。換言すると、全体を曲面形状にしつつ、位置変更方向Ｙに沿ったカーブの方をきつく構成してある。
【００７１】
本構成のように、表示面４１について第１曲率半径Ｒ１と第２曲率半径Ｒ２とを持たせて全体を曲面に形成することで、表示面４１を水栓本体Ｊ１の外面形状に沿わせ易くなる。よって、水栓本体Ｊ１の第１カバーＣ１に設けた窓部Ｗに表示面４１を露出させる際に、表示面４１の全体が水栓本体Ｊ１の表面に近付いて視認性が高まることとなる。
【００７２】
また、二方向の曲率半径を異なるものとし、特に、表示面４１の位置変更方向Ｙの第１曲率半径Ｒ１を短くすることで、仮に、窓部Ｗと表示面４１との隙間から水が浸入した場合でも、水は表示面４１の位置変更方向Ｙに沿った側の縁部４３に流れ易くなる。この点については、窓部Ｗが位置変更方向Ｙに沿って傾斜している点も幾分寄与している。そして、こちらの縁部４３には作用部２１および軸部２２ａは存在しないから、軸部２２ａ等に汚れが堆積することが防止され、表示体Ｓの良好な切替動作を長期に亘って維持することができる。
【００７３】
窓部Ｗから第１カバーＣ１の内部に浸入する水が、作用部２１や軸部２２ａに到達するのを防止するために、窓部Ｗの形状にも特徴を持たせている。本実施形態では、窓部Ｗが四つの開口縁部Ｗ１を備えている。本構成においては、窓部Ｗは水栓本体Ｊ１の表面に形成されているが、ユーザーが視認し易いように法線方向がやや上向きになるように傾斜して設けている。このうち表示面４１の位置変更方向Ｙに交差しつつ延出する一対の開口縁部Ｗ１を開口縁部Ｗ１とすると、このうち特に下方に位置する交差開口縁部Ｗ１０につき、中央側ほど位置変更方向Ｙに沿って外側に広がるように構成してある。
【００７４】
本構成にすることで、例えば、表示面４１から水栓本体Ｊ１の内部に水が浸入する場合に、浸入位置を当該下側の交差開口縁部Ｗ１０の中央部に誘導することができる。つまり、窓部Ｗは水栓本体Ｊ１の表面に形成されているが、ユーザーが視認し易いように法線方向がやや上向きになるように傾斜して設けられることが多い。その場合、当該下側の交差開口縁部Ｗ１０の中央位置が鉛直方向において最下部となる。この位置から水が水栓本体Ｊ１の内部に浸入したとしても、その位置は、作用部２１や軸部２２ａから離れた位置である。よって、浸入した水が作用部２１や軸部２２ａに付着することが防止され、表示体Ｓの円滑な動きが長期に亘って維持される。
【００７５】
〔第２実施形態〕
表示本体２の構造としては、例えば図７に示すものであっても良い。ここでは、作用部２１と軸部２２ａは、作用部２１の軸方向外側に連結して軸部２２ａを設けるのではなく、別々に離間して設けられている。また、作用部２１の位置を軸部２２ａの位置よりも外側にまで延在させて設けている。表示本体２の回転半径を確保するために表示面４１の側部から脚部２７を延出し、その先端に軸部２２ａを設けている。脚部２７の基端部からは作用部２１が張り出している。本構成であれば、仮に窓部Ｗから浸入した水が表示面４１の縁部４３を乗り越えた場合でも、水は作用部２１によってその後の伝搬を阻止され、軸部２２ａに到達する機会が少なくなる。
【００７６】
図７の例では、作用部２１は一つだけ形成してあるが、軸部２２ａに到達する水を極力排除するという意味では、作用部２１は双方に設けておくのがよい。尚、作用部２１の端部には、捩じりばね３を受けるばね受部２４および水栓本体Ｊ１に対するストッパ２５を設けておく。
【００７７】
〔第３実施形態〕
止水部５の別の実施形態としては図８に示す構成にしても良い。つまり、表示面４１の縁部４３のうち作用部２１および軸部２２ａの少なくとも何れか一方が形成されている縁部４３に沿って、第１カバーＣ１の内面に向けて突出するリブ５２を設けても良い。ここでは、表示本体２に装着する表示板４にリブ５２を形成する例を示したが、表示板４は表示本体２と一体に形成しても良い。
【００７８】
このリブ５２により第１カバーＣ１の内面との隙間を狭くして止水機能を高めることができる。軸部２２ａの軸芯方向に沿ったリブ５２の幅はごく狭く形成してあり、仮に当該リブ５２が第１カバーＣ１の内面に擦れた場合にも摺動抵抗は少ない。
【００７９】
また、表示板４は、部品としてサイズの小さいものであるから、表示板４にこのようなリブ５２を設けることは、図５に示したように第１カバーＣ１の内面に内側凸部５１を設けることに比べて極めて容易で低コストである。よって本構成であれば、止水部５をより合理的に実現することができる。
【００８０】
〔第４実施形態〕
止水部５の別の実施形態としては図９に示す構成にしても良い。つまり、表示面４１の縁部４３のうち作用部２１および軸部２２ａの少なくとも何れか一方が形成されている縁部４３に沿って、表示面４１から引退した溝部５３を設けておく。
【００８１】
このような溝部５３を設けることでも、窓部Ｗから浸入しようとする水が当該溝部５３に保持され、軸部２２ａ等への伝搬を防止することができる。
【００８２】
尚、図９では、溝部５３を挟んだ双方の表示面４１の高さが等しく構成されているが、止水機能を高めるためには、例えば溝部５３の外側の表示面４１の高さを高くしておいても良い。つまり、溝部５３に加えて前記リブ５２を併設することで止水機能がより高まる。
【００８３】
〔第５実施形態〕
止水部５の別の実施形態としては図１０に示す構成にしても良い。ここでは、溝部５３の底に複数の排水口５４を設けている。排水効果を高めるには一つの排水口５４の面積は広い方が良いから、排水口５４を縁部４３に沿ってできるだけ長く構成するのが好ましい。
【００８４】
また、本実施形態の場合にも、溝部５３の外側にリブ５２を併設しても良い。さらには、溝部５３もリブ５２も設けず、単一の面を有する表示面４１の側部近傍に複数の排水口５４を設けるものであっても良い。
【００８５】
〔第６実施形態〕
表示本体２の形状としては、図１１に示すものであっても良い。ここでは、表示本体２と表示板４とを一体にして表示体Ｓを形成し、この表示体Ｓが回転動作するものではなくスライド動作する例を示している。このようにスライド構造にすることで、表示体Ｓの高さ寸法を大幅に減らすことができ、第１カバーＣ１の形状によっては、内部に装着し易いものとなる。
【００８６】
表示体Ｓの両縁部４３には例えば段状のガイド部Ｇを設けておき、図示は省略するが水栓本体Ｊ１の側にレール部を設けておく。これらはスライド方向に沿って湾曲している。これにより、表示面４１が窓部Ｗと干渉することなく露出・引退することができる。
【００８７】
表示体Ｓの端部には、例えば二箇所の作用部２１ｂを設けておく。これら作用部２１ｂは操作体１の二つの腕部１２によって押圧される。スライド構成の場合、腕部１２は両側に設ける方が表示体Ｓの動きが安定する。あるいは、図示はしないが、操作体１の幅方向の中央位置に一本だけ腕部１２を設け、表示体Ｓの中央位置を押圧することとしても良い。この場合には、表示体Ｓの動作が安定し、かつ、操作体１と表示体Ｓの構成を簡略化することができる。
【００８８】
表示体Ｓの何れかの場所には、水栓本体Ｊ１との間にばね３ａを設けておく。このばね３ａとしては例えばコイルばねを用いる。表示体Ｓのストロークを確保するためにはコイルばねの長さは多少長くなるが、表示体Ｓの平面方向に沿って配置することになるため、第１カバーＣ１の内部での収納には特に問題は生じない。
【００８９】
止水部５として、図１１には双方の縁部４３にリブ５２を設けた例を示した。ただし、この他にも上述の如く、溝部５３や排水口５４を設けたりこれらを組み合わせたりしてもよい。
【００９０】
〔その他の実施形態〕
以上の止水部５は、表示面４１の縁部４３のうち、表示本体２の位置変更方向Ｙに対向する上下の縁部４３に設けるものであっても良い。そのように構成することで、窓部Ｗからの水の浸入をより確実に防止することができる。
【００９１】
また、止水部５の構成としては、表示面４１の縁部４３だけに面粗度の粗い領域を設けたり、吸水性と抗菌性を併せ持つフェルト部材を取り付けるなど、各種の構成が適用可能である。
【００９２】
さらに、各構成部材の材質としては、製造の容易性や耐久性を確保できるものであれば適宜の材料選択が可能である。例えば、操作体１の材質としては、各種金属・ポリアセタール樹脂（ＰＯＭ）・ＡＢＳ樹脂等を使用する事ができ、コスト・外観・成形性の観点でメッキグレードＡＢＳ樹脂が望ましい。また、表示体Ｓの材質としては、各種金属・ＰＯＭ・ＡＢＳ樹脂等を使用する事ができ、コスト・外観・成形性の観点でＡＢＳ樹脂が望まく、強度・耐久性の観点ではＰＯＭが望ましい。
【産業上の利用可能性】
【００９３】
本発明の水栓器具は、吐水を例えば原水や浄水に切り替える際に、選択した吐水が水栓本体の窓部に切替表示される流し台の水栓器具などに適用可能である。
【符号の説明】
【００９４】
１      操作体
２１    作用部
２１ａ  カム部
２２ａ  軸部
２３    仕切部
４１    表示面
４３    縁部
５      止水部
５２    リブ
５３    溝部
Ｃ      カバー
Ｊ１    水栓本体
Ｊ２    支持部
Ｒ１    第１曲率半径
Ｒ２    第２曲率半径
Ｓ      表示体
Ｗ      窓部
Ｗ１    開口縁部
Ｗ１０  交差開口縁部
Ｙ      位置変更方向
【図１】
2018154981.tif 000003
【図２】
2018154981.tif 000004
【図３】
2018154981.tif 000005
【図４】
2018154981.tif 000006
【図５】
2018154981.tif 000007
【図６】
2018154981.tif 000008
【図７】
2018154981.tif 000009
【図８】
2018154981.tif 000010
【図９】
2018154981.tif 000011
【図１０】
2018154981.tif 000012
【図１１】
2018154981.tif 000013